(57)【要約】      （修正有）【課題】徐々に操作入力がずれてしまっても、意図どおりに移動させることができる電動車両の制御方法を提供する。【解決手段】電動車椅子は、略同じ操作方向に所定値以上の操作量が継続して検出された場合、操作方向及び操作量を保持して不感帯を設定し、不感帯の中に操作方向及び操作量が検出されると、保持している操作方向及び操作量に基づき電動車椅子を動作させ、不感帯の外に操作方向及び操作量が検出されると、検出された操作方向及び操作量に基づき電動車椅子を動作させる。【選択図】図４
2014121191.tif 000002
【特許請求の範囲】
【請求項１】
操作者が入力した操作方向及び操作量に基づく移動目標値に従って移動する電動車両の制御方法であって、
同じ操作方向に所定値以上の操作量が継続して検出された場合は、操作方向及び操作量を保持データとして保持すると共に操作入力の不感帯を設定し、前記不感帯内に操作入力が検出されると、前記保持データとして保持した操作方向及び操作量に基づいて前記移動目標値を生成する、
電動車両の制御方法。
【請求項２】
前記不感帯の外に操作入力が検出されると、前記保持データ及び前記不感帯を削除すると共に、検出された前記操作入力の操作方向及び操作量に基づいて前記移動目標値を生成する、
請求項１に記載の電動車両の制御方法。
【請求項３】
前記不感帯は、前記操作入力を中心とした領域に設定される、
請求項１または２に記載の電動車両の制御方法。
【請求項４】
前記不感帯の領域は、前記所定値以上の操作量が同じ方向に継続して検出された時間の経過に従って幅が広くなる、
請求項１から３いずれか１項に記載の電動車両の制御方法。
【請求項５】
前記不感帯の領域は、前記操作入力の操作量が大きい程、幅が広くなる、
請求項１から４いずれか１項に記載の電動車両の制御方法。
【請求項６】
前記不感帯の領域は、前記所定値より操作量が大きい領域に設定される、
請求項１から５いずれか１項に記載の電動車両の制御方法。
【発明の詳細な説明】
【技術分野】
【０００１】
本発明は、操作者の操作に基づいて動作する電動車両の制御方法に関するものである。
【背景技術】
【０００２】
操作者の操作入力に基づき動作することで、重量物の搬送を支援する、あるいは、搭乗者の移動を支援する電動車両が提案されている（例えば、特許文献１参照）。
【０００３】
図６は、特許文献１に開示された従来の電動車椅子を示す図である。従来の電動車椅子１０１は、操作入力部１０２に対する操作者の操作入力に基づき生成された移動目標値に従って移動する。従来の電動車椅子１０１は、このように移動することにより、操作者の操作で自由に移動することができる。
【先行技術文献】
【特許文献】
【０００４】
【特許文献１】特開２０１２−１０６７２２号公報
【発明の概要】
【発明が解決しようとする課題】
【０００５】
しかしながら、従来の電動車椅子１０１を体幹がうまく保持できない状態で操作した場合、一定の操作入力を与えているつもりであっても、徐々に操作入力がずれてしまい、操作者の意図に反して移動してしまう可能性がある。操作入力がずれた場合、広い場所を移動していれば問題ないが、狭い通路等を移動していると、通路の壁に接触することによる操作者の転落等が発生する恐れがある。
【０００６】
本発明はこのような課題に鑑みてなされたものであり、徐々に操作入力がずれてしまっても、当初の意図どおりに移動させることができる手段を備えた電動車両の制御方法を提供することを目的とする。
【課題を解決するための手段】
【０００７】
上記目的を達成するために本発明の電動車両の制御方法は、操作者が入力した操作方向及び操作量に基づく移動目標値に従って移動する電動車両の制御方法であって、同じ操作方向に所定値以上の操作量が継続して検出された場合は、操作方向及び操作量を保持データとして保持すると共に操作入力の不感帯を設定し、前記不感帯内に操作入力が検出されると、前記保持データとして保持した操作方向及び操作量に基づいて前記移動目標値を生成することを特徴とする。
【発明の効果】
【０００８】
以上説明したように、本発明によれば、徐々に操作入力がずれてしまっても、意図どおりに移動させることができる電動車両の制御方法を提供することができる。
【図面の簡単な説明】
【０００９】
【図１】本発明の実施の形態１にかかる電動車椅子の平面図
【図２】本実施の形態１にかかる電動車椅子の斜視図
【図３】本実施の形態１にかかる電動車椅子の制御ブロック図
【図４】本実施の形態１にかかる電動車椅子のフローチャート
【図５】（ａ）〜（ｆ）本実施の形態１にかかる電動車椅子の操作入力と不感帯の関係を説明する図
【図６】従来の電動車椅子を示す図
【発明を実施するための形態】
【００１０】
以下、本発明の実施の形態について、図面を参照しながら説明する。なお、同じ構成要素には同じ符号を付しており、説明を省略する場合もある。また、図面は理解しやすくするために、それぞれの構成要素を主体に模式的に示している。
【００１１】
（実施の形態１）
本実施の形態１では、電動車両の一例として、電動車椅子１１を例として説明する。図１は、本発明の実施の形態１にかかる電動車椅子１１の平面図である。図２は、本実施の形態１にかかる電動車椅子１１の斜視図である。理解を容易にするために、電動車椅子１１に、電動車椅子１１と共に動く車両座標系Σr（互いに直交する三つのｘr軸、ｙr軸、ｚr軸を有する座標系）を設定する。ｘr軸とｙr軸から構成される平面は地面に対して平行な水平面であり、ｘr軸は電動車椅子１１の前方を向いているとする。ｘr軸方向を電動車椅子１１の前後方向とし、ｙr軸方向を電動車椅子１１の左右方向とする。図３は、本発明の実施の形態１にかかる電動車椅子１１の制御ブロック図である。
【００１２】
図１、図２に示すように、電動車椅子１１は、複数の車輪２１及び複数のアクチュエータ２２を有する車体部１２と、座面部２３と、操作入力部１３と、バッテリー１８と、制御部３０を備える。また、図３に示すように、電動車椅子１１の制御部３０は、操作入力補正部１４と、移動目標値生成部１５と、車輪駆動部１７とを有する。バッテリー１８は、アクチュエータ２２や車輪駆動部１７等に電気エネルギーを供給する。
【００１３】
車体部１２は、回転軸の方向がｙr軸と一致すると共に対向する２つの車輪２１及び２つのアクチュエータ２２と、４隅で車体部１２を支えることで転倒を防止するための４つのキャスター２０を有する。電動車椅子１１は、それぞれのアクチュエータ２２が独立して車輪２１を回転させることで、車体部１２を前後方向、回転方向に移動させることができる。
【００１４】
座面部２３は、腰ボトム２３ａと、腰ボトム２３ａの後方に立たせた状態で設けた背ボトム２３ｂと、腰ボトム２３ａの左右に立たせた状態で設けたアームレスト２３ｃ、２３ｄと、腰ボトム２３ａの前方に下方に垂らして設けた第１脚ボトム２３ｅ及び第２脚ボトム２３ｆとを有する。
【００１５】
操作入力部１３は、アームレスト２３ｃの上面に配置され、操作者が入力する操作方向と操作量を検出できるジョイスティック１３ａを有する。電動車椅子１１は、ジョイスティック１３ａの傾き方向及び傾き量によって、操作方向及び操作量を検出する。
【００１６】
操作入力補正部１４は、操作入力部１３で検出した操作方向及び操作量を補正し、新たな操作方向及び操作量として出力する。
【００１７】
移動目標値生成部１５は、操作入力補正部１４が出力した操作方向及び操作量より車体部１２を移動させる移動目標値を生成する。移動目標値は、ｘr軸方向の並進目標速度と原点周りの回転目標速度から構成される。並進目標速度は、ジョイスティック１３ａの操作量（傾き量）のｘr軸方向成分の大きさに応じて生成され、回転目標速度は、ジョイスティック１３ａ操作量（傾き量）のｙr軸方向成分の大きさに応じて生成される。なお、本実施の形態１では、電動車椅子１１の並進移動及び回転移動に関する見かけの粘性係数Ｄ１、Ｄ２を設定し、操作量のｘr軸方向成分の大きさに１／Ｄ１（粘性係数）を乗じた値を並進目標速度の大きさとし、操作量のｙr軸方向の大きさに１／Ｄ２（粘性係数）を乗じた値を回転目標速度の大きさとする。ただし、ｙr軸方向の操作量が正の場合は反時計周りの回転、負の場合は時計周りの回転とする。
【００１８】
車輪駆動部１７は、移動目標値生成部１５で生成された移動目標値に従って複数のアクチュエータ２２を制御して、車体部１２を移動させる。
【００１９】
図４は、本発明の実施の形態１にかかる電動車椅子のフローチャートである。図５は、本実施の形態１にかかる電動車椅子の操作入力と不感帯の関係を説明する図である。図４、図５を用いて、本実施の形態１における電動車椅子１１の動作について説明する。
【００２０】
まず、操作入力部１３にてジョイスティック１３ａの操作方向及び操作量を検出して、操作入力があるか否かを判定する（ステップＳ０１）。例えば、図５（ａ）に示す状態は、ジョイスティック１３ａを前方に操作量Ｆで２秒間操作し続けた場合であるので、この状態は操作入力がある（ステップＳ０１の「Ｙｅｓ」）と判定される。なお、操作入力がない（ステップＳ０１の「Ｎｏ」）場合は、電動車椅子１１が操作されていないとして終了する。
【００２１】
次に、制御部３０で、同じ操作方向において、所定値ａ以上の操作量が所定時間以上継続しているか否かを判定する（ステップＳ０２）。ここで、例えば、所定値ａは操作量の最大値の７５％であり、所定時間は２秒である。
【００２２】
ステップＳ０２の条件を満たす場合（ステップＳ０２の「Ｙｅｓ」）は、操作入力補正部１４が、そのときの操作方向及び操作量のデータを保持データとして保持する（ステップＳ０３）と共に、図５（ｂ）に示すように操作入力の不感帯２４を設定する（ステップＳ０４）。図５（ｂ）には、操作方向がＸr軸方向で操作力がＦの操作入力に対して、この操作入力を中心として設定された不感帯２４を示している。ここでは、所定値ａ以上の操作量を基準としているため、不感帯２４は、操作量が所定値ａより大きい部分に設定される。なお、本実施の形態１では、不感帯２４の領域の幅は、操作入力が継続している時間だけ大きく設定している。例えば、図５（ｂ）の不感帯２４は２秒以上継続した場合であり、図５（ｄ）の不感帯２４は１０秒以上継続した場合である。なお、本実施の形態１では、さらに、操作量が大きい領域の方が、不感帯の領域の幅が広くなるように設定している。
【００２３】
そして、図５（ｂ）〜図５（ｄ）に示すように操作方向及び操作量が不感帯２４内に存在する（操作入力のベクトルの先端が不感帯２４内に位置する）場合（ステップＳ０５の「Ｙｅｓ」）は、ステップＳ０３で保持された操作方向及び操作量の保持データに基づいて、移動目標値を生成する（ステップＳ０６）。ここで、図５（ｃ）、図５（ｄ）の状態は、体幹がうまく保持できない状態で操作してしまい、一定の操作入力を与えているつもりであっても、操作入力がずれてしまっている状態を想定したものである。
【００２４】
一方、図５（ｅ）、図５（ｆ）に示すように操作方向及び操作量が不感帯２４の外に存在する（操作入力のベクトルの先端が不感帯２４の外に位置する）場合（ステップＳ０５の「Ｎｏ」）は、ステップＳ０３で保持した操作方向及び操作量の保持データ及び不感帯のデータを削除する（ステップＳ０７）と共に、ステップＳ０１で検出された操作入力（操作方向及び操作量）に基づく移動目標値を生成する（ステップＳ０８）。なお、図５（ｅ）は、操作量が所定値ａより小さいため操作入力が不感帯２４の外に存在する場合であり、図５（ｆ）は、操作方向が不感帯２４とずれているため操作入力が不感帯２４の外に存在する場合である。
【００２５】
そして、ステップＳ０６又はステップＳ０８で生成された移動目標値に基づき、車輪が駆動して、電動車椅子１１が移動する（ステップＳ０９）。その後、ステップＳ０１に戻って、操作入力がある限り、これらステップＳ０１〜Ｓ０９を繰り返す。
【００２６】
本実施の形態１は、このようにして、同じ方向に所定値以上の操作量が継続する場合に不感帯を設定すると共に、この不感帯を用いて操作方向及び操作量を補正している。これにより、体幹がうまく保持できない操作者が電動車椅子１１を操作して、徐々に操作入力がずれてしまった場合でも、当初の意図どおりに移動させることができ、狭い通路等での操作でも通路の横に接触することなく、安全に操作することを可能とする。
【００２７】
なお、本実施の形態１では、２つの車輪２１と４つのキャスター２０を有する車体部１２を用いて説明したが、２次元平面上を移動できる車輪構成であれば、その限りではない。
【産業上の利用可能性】
【００２８】
本発明は、体幹がうまく保持できずに徐々に操作入力がずれてしまっても、当初の意図どおりに移動させることができるものであるため、病院施設、介護施設等で利用される電動車椅子等に有用である。
【符号の説明】
【００２９】
１１    電動車椅子
１２    車体部
１３    操作入力部
１３ａ  ジョイスティック
１４    操作入力補正部
１５    移動目標値生成部
１７    車輪駆動部
１８    バッテリー
２０    キャスター
２１    車輪
２２    アクチュエータ
２３    座面部
２３ａ  腰ボトム
２３ｂ  背ボトム
２３ｃ、２３ｄ  アームレスト
２３ｅ  第１脚ボトム
２３ｆ  第２脚ボトム
２４    不感帯
３０    制御部
【図１】
2014121191.tif 000003
【図２】
2014121191.tif 000004
【図３】
2014121191.tif 000005
【図４】
2014121191.tif 000006
【図５】
2014121191.tif 000007
【図６】
2014121191.tif 000008